(57)【要約】【課題】  遊技機に適した表示装置を提供する。【解決手段】  遊技状態に応じた表示指令信号に従って第１情報表示部の表示形態を変更する。この際、表示形態の変更としては、例えば、特別遊技状態と通常遊技状態とで、主表示部７Ａ及び副表示部７Ｂの明度、色相及び彩度のうち少なくとも１つを相違させる。これにより、本発明では、遊技状態に応じた表示指令信号に従って第１情報表示部７の表示形態を変更することとなるので、遊技機１に適した新たな表示装置を得ることができる。【選択図】  図８
2013116273.tif 000002
【特許請求の範囲】
【請求項１】
遊技機用の表示装置であって、
表示図柄の輪郭を形成する主表示部と、
前記主表示部に隣接し、前記表示図柄の陰影部を形成する副表示部と、
前記遊技機の遊技状態に応じて前記主表示部及び前記副表示部の表示状態を制御する制御部と
を備えることを特徴とする遊技機用の表示装置。
【請求項２】
前記副表示部は、前記主表示部と同一の明度又は前記主表示部と異なる明度にて表示可能であることを特徴とする請求項１に記載の遊技機用の表示装置。
【請求項３】
前記副表示部は、前記主表示部と同一の色相又は前記主表示部と異なる色相にて表示可能であることを特徴とする請求項１又は２に記載の遊技機用の表示装置。
【請求項４】
前記副表示部は、前記主表示部と同一の彩度又は前記主表示部と異なる彩度にて表示可能であることを特徴とする請求項１ないし３のいずれか１項に記載の遊技機用の表示装置。
【請求項５】
前記主表示部及び前記副表示部の光源は、光の三原色を１つのＬＥＤにて発光可能なフルカラーＬＥＤにて構成されていることを特徴とする請求項１ないし３のいずれか１項に記載の遊技機用の表示装置。
【請求項６】
表示図柄の輪郭を形成する主表示部、及び前記主表示部に隣接して前記表示図柄の陰影部を形成する副表示部を有する表示装置と、
遊技状態に応じて前記主表示部及び前記副表示部の表示状態を制御する制御部と
を備えることを特徴とする遊技機。
【発明の詳細な説明】
【技術分野】
【０００１】
本発明は、遊技機用の表示装置及び遊技機に関するものである。
【背景技術】
【０００２】
例えば、特許文献１に記載の発明では、図柄を表示するセグメントの横に色違いのセグメントを配置して表示図柄のボリュームを増している。
【先行技術文献】
【特許文献】
【０００３】
【特許文献１】実用新案登録第２５５９９５７号明細書
【発明の概要】
【発明が解決しようとする課題】
【０００４】
ところで、弾球遊技機等の遊技機においては、表示装置により各種の情報提供及び演出を行っている。
そこで、本発明は、上記点に鑑み、遊技機に適した表示装置を提供することを目的とする。
【課題を解決するための手段】
【０００５】
本発明は、上記目的を達成するために、遊技機用の表示装置であって、表示図柄の輪郭を形成する主表示部（７Ａ）と、主表示部（７Ａ）に隣接し、表示図柄の陰影部を形成する副表示部（７Ｂ）と、遊技機の遊技状態に応じて主表示部（７Ａ）及び副表示部（７Ｂ）の表示状態を制御する制御部（）とを備えることを特徴とする。
【０００６】
これにより、請求項１に記載の発明では、遊技状態に応じた表示指令信号に従って表示形態を変更するので、遊技機に適した新たな表示装置を得ることができる。
なお、本発明は、以下のようにしてもよい。
【０００７】
すなわち、副表示部（７Ｂ）を主表示部（７Ａ）と同一の明度又は主表示部（７Ａ）と異なる明度にて表示可能とする。副表示部（７Ｂ）を主表示部（７Ａ）と同一の色相又は主表示部（７Ａ）と異なる色相にて表示可能とする。副表示部（７Ｂ）を主表示部（７Ａ）と同一の彩度又は主表示部（７Ａ）と異なる彩度にて表示可能とする。
【０００８】
そして、主表示部（７Ａ）及び副表示部（７Ｂ）の光源を、光の三原色を１つのＬＥＤにて発光可能なフルカラーＬＥＤにて構成してもよい。
さらに、表示図柄の輪郭を形成する主表示部（７Ａ）、及び主表示部（７Ａ）に隣接して表示図柄の陰影部を形成する副表示部（７Ｂ）を有する表示装置（）と、遊技状態に応じて主表示部（７Ａ）及び副表示部（７Ｂ）の表示状態を制御する制御部（）とを備える遊技機としてもよい。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の実施形態に係る遊技機１及び呼出ボタンユニット３（オーダ端末１１）の設置状態を示す図である。
【図２】本発明の実施形態に係る表示装置を含む呼出ボタンユニット３の正面図である。
【図３】図２の上面図である。
【図４】図２の下面図である。
【図５】図２の右側面図である。なお、図２の左側面の形態は、図２と同じである。
【図６】図２の背面図である。
【図７】本発明の実施形態に係る遊技機１及び表示装置の制御系ブロック図である。
【図８】（ａ）〜（ｅ）は、第１情報表示部７の具体例を示す図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
そして、本実施形態は、本発明に係る遊技機及び表示装置をパチンコ機（弾球遊技機）やスロット機（回胴式遊技機）等の遊技機に適用したものであって、以下に本発明の実施形態を図面と共に説明する。
【００１３】
（第１実施形態）
１．本実施形態に遊技機の概略構成
複数の遊技機１が設置されたホール（遊技場）には、図１に示すように、遊技機１に対応する台数の呼出ボタンユニット３が各遊技機１の上方側に取り付けられている。この呼出ボタンユニット３は、図２に示すように、呼出ボタン５、第１〜３情報表示部７〜１１、及び電飾部１３等から構成されている。
【００１４】
呼出ボタン５は、ホール内の店員（ホールスタッフ）を呼び出すための操作部である。第１〜３情報表示部７〜１１は、遊技機の状態や遊技履歴等の遊技機に関する情報を表示する表示手段である。そして、第１情報表示部７は本発明が適用された表示装置である。
【００１５】
なお、表記切替ボタン５Ａ〜５Ｃは、第１〜３情報表示部７〜１１に表示する情報等を切り替えるための操作スイッチであり、これらの表記切替ボタン５Ａ〜５Ｃは、遊技者により操作される。
【００１６】
また、第１〜３情報表示部７〜１１及び電飾部１３等の作動は、図７に示すように、遊技機１の主制御基板１５により制御される。つまり、呼出ボタンユニット３には、第１〜３情報表示部７〜１１及び電飾部１３等を表示駆動する表示制御基板１７が設けられている。そして、表示制御基板１７は、主制御基板１５から出力される指令信号（コマンド）に従って予め設定されたプログラムに通りに第１情報表示部７等を表示駆動する。
【００１７】
なお、主制御基板１５及び表示制御基板１７は、ＣＰＵ、ＲＯＭ及びＲＡＭ等を有して構成されたマイクロコンピュータに構成されたものであって、制御用のプログラムは、ＲＯＭ等の不揮発性記憶部に予め記憶されている。そして、当該プログラムが読み込まれてＣＰＵにて実行される。
【００１８】
また、主制御基板１５には、遊技状態を検出するための各種センサーや遊技者により操作される各種スイッチからの信号が入力されている。そして、主制御基板１５は、それらの入力信号及び予め記憶されたプログラムに従って遊技機１（表示制御基板１７を含む。）の作動を制御する。なお、「遊技状態」とは、例えば、「大当り」や「確変」等の特別遊技状態、又は特別遊技状態以外の通常遊技状態等をいう。
【００１９】
２．第１情報表示部
２．１  第１情報表示部の構成
第１情報表示部７は、図８（ａ）に示すように、表示図柄の輪郭を形成する主表示部７Ａ、及び表示図柄の陰影部を形成する副表示部７Ｂを有して構成されている。
【００２０】
主表示部７Ａは、いわゆる７セグメントにより構成されているとともに、その光源としてフルカラーＬＥＤが用いられている。なお、フルカラーＬＥＤとは、光の三原色を１つのＬＥＤにて発光可能なＬＥＤをいう。
【００２１】
また、副表示部７Ｂは、主表示部７Ａをなす各セグメントに隣接して設けられたセグメント状のものであり、その光源にはフルカラーＬＥＤが用いられている。
すなわち、主表示部７Ａをなす７つのセグメントのうち、その長手方向が紙面上下方向とほぼ一致するセグメントに対しては、当該セグメントの右側に隣接して副表示部７Ｂが設けられている。
【００２２】
一方、主表示部７Ａをなす７つのセグメントのうち、その長手方向が紙面水平方向とほぼ一致するセグメントに対しては、当該セグメントの下側に隣接して副表示部７Ｂが設けられている。
【００２３】
そして、第１情報表示部７は、主制御基板１５から指令信号に基づいて、遊技機１の遊技状態に応じて主表示部７Ａ及び副表示部７Ｂの表示状態が変更される（図８（ｂ）〜図８（ｅ）参照）。
【００２４】
２．２  第１情報表示部の表示制御
表示制御基板１７は、主制御基板１５から出力される遊技状態に応じた表示指令信号に従って第１情報表示部７の表示形態を変更する。
【００２５】
なお、表示形態の変更としては、例えば、特別遊技状態と通常遊技状態とで、主表示部７Ａ及び副表示部７Ｂの明度、色相及び彩度のうち少なくとも１つを相違させることが考えられる。
【００２６】
すなわち、図８（ｂ）は特別遊技状態時の表示形態を示し、図８（ｃ）は通常遊技状態時の表示形態を示している。つまり、通常遊技状態時には主表示部７Ａのみ発光した表示形態で表示し、特別遊技状態時には、副表示部７Ｂを主表示部７Ａと同一の明度、色相及び彩度で発光させる表示形態とすることにより、現在の遊技状態が特別遊技状態である旨を強調する。
【００２７】
また、特別遊技状態時であっても、個々具体的な遊技状態に応じて、例えば明度、色相や彩度等を変更してもよい。
なお、図８（ａ）は特別遊技状態のうち例えば「時短」時の表示形態を示しており、この例では明度が主表示部７Ａと副表示部７Ｂとで異なっている。図８（ｄ）は特別遊技状態のうち例えば「確変」時の表示形態を示しており、この例では彩度が主表示部７Ａと副表示部７Ｂとで異なっている。図８（ｅ）は特別遊技状態のうち例えば「大当り」時の表示形態を示しており、この例では色彩が主表示部７Ａと副表示部７Ｂとで異なっている。
【００２８】
３．本実施形態に係る遊技機及び表示装置の特徴
本実施形態では、遊技状態に応じた表示指令信号に従って第１情報表示部７の表示形態を変更するので、遊技機１に適した新たな表示装置を得ることができる。
【００２９】
（第２実施形態）
第１実施形態では、第１情報表示部７をどのような表示形態で表示させるか、つまり、特別遊技状態時又は通常遊技状態に、図８（ａ）〜図８（ｅ）のうちいずれの表示形態で表示させるかは、遊技状態を示す信号を主制御基板１５から受信して呼出ボタンユニット３（表示制御板１７）が決定していたが、本実施形態は、主制御基板１５（遊技機１）が決定するものである。これにより、呼出ボタンユニット３（表示制御板１７）の負荷を低減することができる。
【００３０】
（その他の実施形態）
上述の実施形態では、フルカラーＬＥＤを用いて主表示部７Ａと副表示部７Ｂとの表示形態を変更したが、本発明はこれに限定されるものではなく、例えば、単色のＬＥＤを光源とし、かつ、明度、色相及び彩度のうち少なくとも１つが異なるフィルム等の透光性を有する薄膜を配設することにより、主表示部７Ａと副表示部７Ｂとの表示形態を異ならせてもよい。
【００３１】
なお、上記の場合においては、主表示部７Ａを構成するフィルムに副表示部７Ｂを構成する部分を印刷又は貼付して構成してもよい。
また、上述の実施形態では、第１情報表示部７（主表示部７Ａ）が７セグメントで構成されたものであったが、本発明はこれに限定されるものではない。
【００３２】
また、上述の実施形態では、第１情報表示部７に本発明に係る表示装置を適用したが、本発明の適用はこれに限定されるものではない。
また、上述の実施形態では、第１情報表示部７が呼出ボタンユニット３の略中央に配置されていたが、本発明はこれに限定されるものではなく、第１情報表示部７をその他の位置、大きさ又は範囲となるように配置してもよい。
【００３３】
また、呼出ボタンユニット３の外観形状は、図２〜図６に示された形状に限定されるものではない。
また、本発明は、特許請求の範囲に記載された発明の趣旨に合致するものであればよく、上述の実施形態に限定されるものではない。
【符号の説明】
【００３４】
１… 遊技機  ３… 呼出ボタンユニット  ５… 呼出ボタン
５Ａ〜５Ｃ… 表記切替ボタン  ７… 第１情報表示部  ７Ａ… 主表示部
７Ｂ… 副表示部  １５… 主制御基板  １７… 表示制御基板
１７… 表示制御板
【図１】
2013116273.tif 000003
【図６】
2013116273.tif 000004
【図７】
2013116273.tif 000005
【図２】
2013116273.tif 000006
【図３】
2013116273.tif 000007
【図４】
2013116273.tif 000008
【図５】
2013116273.tif 000009
【図８】
2013116273.tif 000010